(57)【要約】      （修正有）【課題】簡単な構成において、楽しくて装飾性の高いディスプレイ用、プレゼント用の物品包装具を提供する。【解決手段】相対配置され、かつ、内部が連通する空気充填スペース５を備えるとともに、それら空気充填スペース５に空気が充填された状態においてそれらの間で物品１５を保持する物品包装具において、空気充填スペース５の一部が途中部で幅狭とされ、空気充填スペース５に空気が充填され膨らんだ際に全体が巾着袋形態となる物品包装具。【選択図】図５
0003123321.tif 000002
【実用新案登録請求の範囲】
【請求項１】
相対配置され、かつ、内部が連通する空気充填スペースを備えるとともに、それら空気充填スペースに空気が充填された状態においてそれらの間で物品を保持する物品包装具において、
前記空気充填スペースの一部が途中部で幅狭とされ、前記空気充填スペースに空気が充填され膨らんだ際に全体が巾着袋形態となる物品包装具。
【考案の詳細な説明】
【技術分野】
【０００１】  この考案は、ディスプレイ用、プレゼント用等として好適に使用される物品包装具に関する。
【背景技術】
【０００２】  従来から各種物品をより良く見せるようにディスプレイすることが試みられ、また、プレゼント用の包装具としても種々装飾性の高いものが求められている。
【考案の開示】
【考案が解決しようとする課題】
【０００３】  しかしながら、現状におけるこの種一般のものはシールを貼ったりリポンを付けたりする程度で装飾性に満足できるものがなく、豪華に装飾する場合はその費用が高くなる問題があった。【０００４】  この考案では簡単な構成において、楽しくて装飾性の高いディスプレイ用、プレゼント用の物品包装具を提供することを目的とする。
【課題を解決するための手段】
【０００５】  この考案では、相対配置され、かつ、内部が連通する空気充填スペースを備えるとともに、それら空気充填スペースに空気が充填された状態においてそれらの間で物品を保持する物品包装具において、前記空気充填スペースの一部が途中部で幅狭とされ、前記空気充填スペースに空気が充填され膨らんだ際に全体が巾着袋形態となる物品包装具を提供する。【０００６】  この考案の構成によれば、物品保持スペースに物品を位置させ空気充填スペース内に空気を十分に注入すると、物品包装具は空気充填スペースが連通していることで全体が膨らみ、かつ、空気充填スペースの一部が幅狭とされていることでその部分が膨らまずに絞り状態となって、全体として巾着袋形態となる。この巾着袋形態は一見その構成が判明せず、その点において奇異な面白さを伴う装飾性を発揮する。【０００７】  構成部材として透明のシートを用いることで包装される物品が外部から見えるようにしてもよく、また、化粧カラーシート、金箔シート、不織布シート等を用いることで適宜意匠性に優れる物品包装具が得られる。
【考案の効果】
【０００８】  この考案によれば、簡単な構成において楽しく装飾性の高いディスプレイ用、プレゼント用の物品包装具を提供することが可能となる。
【考案を実施するための最良の形態】
【０００９】  図１はこの考案の物品包装具の実施形態の外観斜視図、図２は図１のＡ−Ａ部分の端面図である。【００１０】  物品包装具１は２枚の有色もしくは無色の透明のシート２，３よりなり、それらシート２，３間には密閉状態で連通する空気充填スペース５が形成され、相対する空気充填スペース５、５間にはそれらに空気が充填された状態において物品を保持する物品保持スペース７を備える。【００１１】  図３、図４はその製造過程を示し、まず、２枚のシート２，３を重ねてその全周縁をヒートシールにより固着し、図３の点線位置で矢印方向に半折する。なお、長尺の１枚のシートを用い折り返し重ね用いる場合は３周囲をヒートシールする。【００１２】  上記シート２，３としてはヒートシールによる熱溶着が可能なポリプロピレンもしくはポリエチレン等のポリオレフィン系樹脂のシートを用いる。また、上記のヒートシールに際しては逆止弁９を一体に固着するもので、用いる逆止弁、また、その取り付け構造は従来公知技術による。【００１３】  図４に示すように、半折した状態において両側縁２０，２１をヒートシールにより固着し、図４の点線位置で矢印方向にさらに半折して図１に示す形態とし、その一方側の端部に近い位置において両側から内側に至る部分１０，１１においてヒートシールすることでその位置で空気充填スペース５の幅を狭めている。上記のように物品包装具１は始めに空気充填スペース５が一体に形成され、その後折りたたまれて構成されることで、空気充填スペース５のそれぞれは内部すべてが一体に連通する構成となっている。【００１４】  上記のような構成の物品包装具１に、図２に示す状態において物品保持スペース５の折りたたみ位置に近い位置Ｘに陶器製カップ１５等の物品を位置させて逆止弁９を通して空気充填スペース５内に空気を十分に注入すると、図５に示すように、物品包装具１は膨らんで全体が巾着袋形態となる。すなわち、部分１０，１１より下方側（図１において右側）の大きい方の空気充填スペース５は、図２のＹで示す折りたたみ位置が広がり状態となって大きく膨らみ、また、部分１０，１１より上方側（図１において左側）の小さい方の空気充填スペース５もある程度膨らむ。これに対し、部分１０，１１の設けられている位置では空気充填スペース５はその幅が狭められていることでほとんど膨らまずに絞り状態となり、これにより全体が巾着袋形態となる。１７は別途結びつけた紐である。【００１５】  一方カップ１５は膨らんだ空気充填スペース５によって両側から押圧される状態で物品保持スペース７に安定保持され、外部からは一見カップ１５が巾着袋内に浮かんだ状態で納められているように見え、これにより、奇異な感じを伴った高い装飾性が発揮される。包装される物品は物品保持スペース７に弾力的に保持されるので振動や衝撃による損傷の恐れが無く、したがってこの物品包装具１は特に陶器やビン類、さらに、カメラや時計等の精密機器の包装に好適に用いられる。【００１６】  シート２、３として適宜の印刷模様等が付されたものを用いることで、さらに装飾性が高められる。また、内側に位置する側のシート３を不透明の金箔シートや不織布シート等としてもよく、その際にはその不透明のシート��覆われて物品保持スペース７内の物品が外部から見えなくなり、その場合はプレゼント品を秘密とするようなプレゼント用包装として好適に用いられる。【００１７】  なお、上記において用いる金箔シートや不織布シート３は、図６に示すような、金箔や不織布よりなるシート素材３０の両面にヒートシールが可能な樹脂層３１が備えられたものが用いられる。
【図面の簡単な説明】
【００１８】
【図１】  この考案の物品包装具の非膨らみ状態の外観斜視図
【図２】  図１のＡ−Ａ端面図
【図３】  この考案の物品包装具の製造工程説明図
【図４】  この考案の物品包装具の製造工程説明図
【図５】  この考案の物品包装具の使用状態の外観斜視図
【図６】  この考案の物品包装具の他実施形態の部分断面図
【符号の説明】
【００１９】１    物品包装具
２    シート
３    シート
５    空気充填スペース
７    物品保持スペース
１５  カップ（物品）
【図１】
0003123321.tif 000003
【図２】
0003123321.tif 000004
【図３】
0003123321.tif 000005
【図４】
0003123321.tif 000006
【図５】
0003123321.tif 000007
【図６】
0003123321.tif 000008